(57)【特許請求の範囲】
【請求項１】
定期券データとして、区間データを記憶する定期券データ記憶手段と、
現金を電子的に代替させて精算することができるデータを記憶する電子取引データ記憶手段と、
改札通過時に前記定期券データ記憶手段に記憶された定期券データを送信する定期券データ送信手段と、
前記定期券データ送信手段による定期券データの送信に応答して、改札出口ターミナル装置から、前記区間データに対する乗り越しの清算データが送信された場合に、前記電子取引データ記憶手段のデータを用いて電子的に清算する乗り越し清算手段と、
乗り越しをする場合に、乗り越しの区間を示す乗越データを記録する乗越記録手段と、
前記乗越記録手段によって記録された乗越データから、所定の乗越し区間が所定回数あるか判別する判別手段と、
前記判別手段による判別の結果、条件に該当する場合に、回数券の購入を指示する購入指示手段と
を具備したことを特徴とする電子定期券。
【請求項２】
電子定期券に組み込まれるコンピュータを制御するためのプログラムが記録された記録媒体であって、
メモリに記憶された定期券データとしての区間データ及び現金を電子的に代替させて精算することができる金銭的データをアクセスする機能と、
改札通過時に前記メモリに記憶された区間データを送信する定期券データ送信機能と、
前記定期券データ送信機能による区間データの送信に応答して、改札出口ターミナル装置から、前記区間データに対する乗り越しの清算データが送信された場合に、前記メモリの金銭的データを用いて電子的に清算する乗り越し清算機能と
乗り越しをする場合に、乗り越しの区間を示す乗越データを記録する乗越記録機能と、
前記乗越記録機能によって記録された乗越データから、所定の乗越し区間が所定回数あるか判別する判別機能と、
前記判別機能による判別の結果、条件に該当する場合に、回数券の購入を指示する購入指示機能と
を前記コンピュータに実現させるプログラムが記録されたコンピュータ読み取り可能な記録媒体。
【発明の詳細な説明】
【０００１】
【発明の属する技術分野】
本発明は、鉄道等の交通機関によって利用される定期券を電子化した電子定期券、及びプログラム記録媒体に関する。
【０００２】
【従来の技術】
一般に、鉄道等の交通機関によって通勤や通学するために利用される定期券は、利用する区間や有効期間を示すデータが磁気的に記録され、機械処理ができるようになっている。改札を通過する際に定期券を改札口に設置された機械に挿入することにより、区間や有効期間のデータが読み取られ、区間、有効期間とも正当であれば改札ゲートが開放されて改札を通過することができる。
【０００３】
【発明が解決しようとする課題】
このように鉄道等の改札等で用いられる従来の定期券は、区間、有効期間のデータが機械によって自動的に読み取られ改札ゲートの制御が行われるので、改札で検札を行なう側の負担が軽減されるが、利用者側の負担は何等変わっていない。
【０００４】
例えば、定期の有効期間については、定期に印刷された有効期間を表す文字によって確認し、有効期間が経過していないか常に注意していなければならない。また、有効期間が満了する日に近付いた場合、継続するために、利用者が定期券売り場や定期券売機に出向いて、定期代の支払いなどの手続きをする必要があった。
【０００５】
すなわち従来の定期券は、区間、有効期間等のデータが記録され、改札を通過する際に確認するために使用されているだけで、利用者の負担を軽減するための機能等が何等設けられていなかった。
【０００６】
また、改札において定期券が挿入される機械は、定期券に記憶されているデータを読み取って、データが正当か否かに応じて改札ゲートの開閉を制御するだけであって、従来の定期券と同様にして、利用者の負担を軽減するための機能等が何等設けられていなかった。
【０００７】
本発明は前記のような事情を考慮してなされたもので、利用者の負担が軽減されるように機能させることが可能な電子定期券、及びプログラム記録媒体を提供することを目的とする。
【０００８】
【課題を解決するための手段】
本発明にかかる電子定期券は、定期券データとして、区間データを記憶する定期券データ記憶手段と、現金を電子的に代替させて精算することができるデータを記憶する電子取引データ記憶手段と、改札通過時に前記定期券データ記憶手段に記憶された定期券データを送信する定期券データ送信手段と、前記定期券データ送信手段による定期券データの送信に応答して、改札出口ターミナル装置から、前記区間データに対する乗り越しの清算データが送信された場合に、前記電子取引データ記憶手段のデータを用いて電子的に清算する乗り越し清算手段と、乗り越しをする場合に、乗り越しの区間を示す乗越データを記録する乗越記録手段と、前記乗越記録手段によって記録された乗越データから、所定の乗越し区間が所定回数あるか判別する判別手段と、前記判別手段による判別の結果、条件に該当する場合に、回数券の購入を指示する購入指示手段とを具備したことを特徴とする。
【００１２】
【発明の実施の形態】
以下、図面を参照して本発明の実施の形態について説明する。図１は本実施形態に係わる電子定期券システムの概略構成を示すブロック図である。図１に示すように、電子定期券システムは、改札ターミナル装置４と電子定期券８によって構成される。
【００１３】
改札ターミナル装置４は、例えば鉄道の駅の改札に設置されるもので、改札を通過する人が保持する電子定期券８との間で通信を行ない、電子定期券８から取得されるデータをもとに改札ゲートの開閉制御を行なうと共に、電子定期券８を利用者の負担が軽減されるように機能させるための処理を実行する。詳細については後述する。
【００１４】
電子定期券８は、本来の定期券の役割を果たす機能の他に、利用者の負担を軽減するための機能が設けられている。例えば、定期券の有効期間の満期が近付いたことの通知、定期券の有効期間の自動継続の手続き、自動継続のための料金の自動支払い、定期券を用いた乗越し時の自動支払い、乗越しの区間や回数に基づく購入すべき回数券の提示などがある。詳細については後述する。
【００１５】
電子定期券８は、記憶装置、またはメモリ２２等の記憶媒体に記録されたプログラムによって動作が制御されるコンピュータ（小型の電子機器）によって実現される。ただし、本実施形態における電子定期券８は、薄型で携帯が容易なカード型に構成されているものとする。
【００１６】
図２は電子定期券８の構成を示すブロック図である。図２に示すように、電子定期券８は、ＣＰＵ１０、通信部１２、記憶装置１４、キー入力部１６、表示部１８、タブレット２０、及びメモリ２２によって構成されている。
【００１７】
ＣＰＵ１０は、電子定期券８全体の制御を司るもので、記憶装置１４あるいはメモリ２２に格納されているプログラムによって動作が制御される。ＣＰＵ１０は、制御プログラムに基づいて各部を制御することで、電子定期券８を機能させる。
【００１８】
通信部１２は、電子定期券８が改札を通過する際に、ＣＰＵ１０の制御の下で改札ターミナル装置４との間で各種データを送受信する。記憶装置１４は、ＣＰＵ１０の動作を制御するための各種プログラムやデータ等を格納する。
【００１９】
キー入力部１６は、電子定期券８にもうけられている機能を利用する際のユーザからの指示等を入力するためのもので、電子定期券８に設けられた複数のキー（後述する）に対する入力操作を制御する。
【００２０】
表示部１８は、電子定期券８が記憶しているデータの内容、例えば定期の種類、利用区間、有効期間などや、電子定期券８に設けられている機能を利用する際のメッセージ等をディスプレイに表示させる。
【００２１】
タブレット２０は、座標検出面上での指示位置の座標を検出するためのもので、表示部１８のディスプレイの表示面と一体的に構成され、ディスプレイに表示された内容を直接的に指示することで対応する座標データを入力する。
【００２２】
メモリ２２は、ＣＰＵ１０の動作を制御するためのプログラムや各種データを記憶するためのもので、各種データには、定期券データ２２ａ、電子取引データ２２ｂ、乗越データ２２ｃが含まれる。定期券データ２２ａは、本来の定期券の役割を果たす機能のためのデータの他、利用者の負担を軽減するための機能用のデータが含まれている。詳細については後述する。電子取引データ２２ｂは、自動継続のための料金の自動支払い、及び定期券を用いた乗越し時の自動支払いを実行するために用いられるデータである。乗越データ２２ｃは、乗越しの区間や回数に基づく購入すべき回数券の提示などを行なうためのデータである。
【００２３】
図３はメモリ２２に格納される各種データのデータ構造の一例を示している。図３（ａ）は定期券データ２２ａを示し、図３（ｂ）は電子取引データ２２ｂを示し、図３（ｃ）は乗越データ２２ｃを示している。
【００２４】
図３（ａ）に示すように、定期券データ２２ａには、定期券の発行元である例えば定期券が有効である鉄道会社名を示す定期券種類データ３０、定期券が有効な区間を示す区間データ３１、定期券が有効な有効期間を示す期間データ３２、乗越しする際には自動支払いをすることを示すようにセットされる乗越しフラグ３３、有効期間が満了する際には自動継続することを示すようにセットされる継続フラグ３４、自動継続する際に新たに継続すべき期間を示す継続期間フラグ３５、自動支払いを行なう際の支払い方法（電子マネー、口座振替）を示す支払いモードデータ３６が含まれている。
【００２５】
図３（ｂ）に示すように、電子取引データ２２ｂには、現金を電子的に代替する電子マネーとして電子定期券８が保持している金額を示す電子マネーデータ４０、自動支払いを行なう際に引き落しの対象とする銀行等の口座の口座番号を示す口座データ４１、電子マネーあるいは銀行座からの自動支払いが不正利用されないように利用者を確認する際に参照されるパスワード４２が含まれている。
【００２６】
図３（ｃ）に示すように、乗越データ２２ｃは、乗越しを行なった際の履歴を示すもので、各乗越しごとに区間と日付を示すデータが対応付けられて格納される。
【００２７】
図４は本実施形態における改札ターミナル装置４の構成を示すブロック図である。図４に示すように、改札ターミナル装置４は、ＣＰＵ６０、通信部６２、記憶装置６４、ネットワーク接続部６６、ゲート制御部６８、メモリ７０、及びデータベース７２によって構成されている。
【００２８】
ＣＰＵ６０は、改札ターミナル装置４全体の制御を司るもので、記憶装置６４あるいはメモリ７０に格納されているプログラムによって動作が制御される。ＣＰＵ６０は、制御プログラムに基づいて各部を制御することで、改札ターミナル装置４を機能させる。
【００２９】
通信部６２は、電子定期券８が改札を通過する際に、ＣＰＵ６０の制御の下で電子定期券８との間で各種データを送受信する。記憶装置６４は、ＣＰＵ６０の動作を制御するための各種プログラムやデータ等を格納する。
【００３０】
ネットワーク接続部６６は、電子定期券８によって定期の有効期間の自動継続や乗越し時の自動支払いが行なわれる際の銀行等との通信を行なう。ゲート制御部６８は、電子定期券８から取得される定期券データに含まれる定期種類データ３０、区間データ３１、期間データ３２をもとにして定期として正当であると判断されたか否かによって、改札口の利用者が通過するゲートを開閉させる制御を行なう。
【００３１】
メモリ７０は、ＣＰＵ６０の動作を制御するためのプログラムや各種データを記憶する。データベース７２は、電子定期券８が定期として正当であるかを定期券データを元に判別するために参照される路線に関するデータの他、改札を通過する電子定期券８に対する処理を実行する際に参照される各種データが登録されている。また、改札を通過する電子定期券８から取得される各種データを、利用者に関する統計データとして蓄積するために利用してもよい。
【００３２】
図５（ａ）には電子定期券８の定期券画面を表示している状態の外観構成を示している。図５（ａ）に示すように、電子定期券８は、表示部１８の制御のもとで表示が行われる表示面８０が設けられており、定期券データ２２ａ、電子取引データ２２ｂとして保存されているデータの内容や、各種設定用の画面が表示される。
【００３３】
また、電子定期券８には、図５（ａ）に示すように、機能キー８２、駆動キー８４が設けられている。機能キー８２は、電子定期券８に設けられた機能を利用する際の各種設定を行なうことを指示するためのキーである。機能キー８２からの指示に応じて設定用の画面、例えば図５（ｂ）から図５（ｅ）に示すような画面が表示される。詳細については後述する。
【００３４】
駆動キー８４は、電子定期券８に設けられた機能の起動を指示するためのキーである。次に、本実施形態における電子定期券システムの動作について、フローチャートを参照しながら説明する。
【００３５】
まず、電子定期券８において実行される一般処理の動作について、図６に示すフローチャートを参照しながら説明する。電子定期券８の一般処理では、改札を通過するときに実行される機能についての各種設定が行われる。
【００３６】
まず、電子定期券８に設けられた機能キー８２が押下されると（ステップＡ１）、ＣＰＵ１０は、図５（ｂ）に示すようなモード設定画面を表示部１８によって表示させる（ステップＡ２）。モード設定画面には、図５（ｂ）に示すように、設定対象とする「乗越」「継続」の何れかを選択するための領域が設けられている。
【００３７】
ここで、表示面８０上の「継続」の領域が触れられるなどしてタブレット２０から「継続」の領域に対応する座標データが入力されると（ステップＡ３）、ＣＰＵ１０は、例えば図５（ｃ）に示すような継続期間設定用の画面を表示させ、継続期間の選択指示を入力する（ステップＡ１１）。継続期間設定画面には、定期の有効期間を自動継続する際の継続期間を指定するための「１ヶ月」「３ヶ月」「６ヶ月」の領域が設けられている。
【００３８】
ここで、表示面８０上の何れかの継続期間を示す領域が選択されると、ＣＰＵ１０は、入力された座標データをもとに選択された継続期間を示すデータを求め、定期券データ２２ａの継続期間データ３５としてメモリ２２に格納しておく。
【００３９】
また、ＣＰＵ１０は、例えば図５（ｄ）に示すような支払いモード設定用の画面を表示させ、支払い方法の選択指示を入力する（ステップＡ１２）。支払いモード設定画面には、支払い方法として「電子マネー」「口座振替」の何れかを指定するための領域が設けられている。
【００４０】
ここで、表示面８０上の何れかの支払い方法を示す領域が選択されると、ＣＰＵ１０は、選択された支払い方法を示すデータを、定期の有効期間を自動継続する際の支払い方法を示す支払いモードデータ３６として、メモリ２２の定期券データ２２ａに格納しておく。
【００４１】
また、ＣＰＵ１０は、例えば図５（ｅ）に示すようなパスワード入力用の画面を表示させ、パスワードを入力する（ステップＡ１３）。パスワード入力画面には、パスワードを入力するためのソフトウェアキーボードが設けられている。ソフトウェアキーボードは、キーボードと同様の配列による文字一覧が表示されたもので、表示面８０の任意の文字の領域を押下することによりタブレット２０から入力された座標データをもとに文字を入力することができるものである。
【００４２】
ソフトウェアキーボードを用いてパスワードが入力されると、ＣＰＵ１０は、メモリ２２に電子取引データ２２ｂとして記憶されているパスワード４２と比較して、入力されたパスワードが正しいか否かを判別する。
【００４３】
ここで、入力されたパスワードが電子取引データ２２ｂのパスワード４２と同じであって正しい場合には（ステップＡ１４）、ＣＰＵ１０は、正当な利用者であるものと判断して、定期券データ２２ａの継続フラグ３４をセットして（ステップＡ１５）、定期の有効期間を自動継続し、指定した支払い方法によって自動支払いが行なわれるようにして処理を終了する。
【００４４】
一方、ステップＡ３において、表示面８０上の「乗越」の領域が触れられるなどしてタブレット２０から「乗越」の領域に対応する座標データが入力されると、ＣＰＵ１０は、例えば図５（ｄ）に示すような支払いモード設定用の画面を表示させ、支払い方法の選択指示を入力する（ステップＡ４）。支払いモード設定画面には、支払い方法として「電子マネー」「口座振替」の何れかを指定するための領域が設けられている。
【００４５】
ここで、表示面８０上の何れかの支払い方法を示す領域が選択されると、ＣＰＵ１０は、選択された支払い方法を示すデータを、乗越しを行なった際の支払い方法を示す支払いモードデータ３６として、メモリ２２の定期券データ２２ａに格納しておく。なお、支払いモードデータ３６は、自動継続用と乗越し用で別に設定しておくものとする。これにより、自動継続を行なう場合の支払い方法と、乗越しを行なう際の支払い方法とを異なるようにすることができる。
【００４６】
また、ＣＰＵ１０は、例えば図５（ｅ）に示すような、ソフトウェアキーボードが設けられたパスワード入力用の画面を表示させ、パスワードを入力する（ステップＡ５）。
【００４７】
ここで、入力されたパスワードがメモリ２２の電子取引データ２２ｂのパスワード４２と同じであって正しい場合には、ＣＰＵ１０は、正当な利用者であるものと判断して、定期券データ２２ａの乗越フラグ３３をセットして（ステップＡ７）、乗越しをした際には指定した支払い方法によって自動支払いが行なわれるようにする（ステップＡ７）。
【００４８】
さらに、ＣＰＵ１０は、メモリ２２に格納されている乗越データ２２ｃをチェックする（ステップＡ８）。すなわち、乗越しの履歴として記憶されている区間と日付のデータから、特定の期間内に同区間の乗越しを、予め設定されている回数以上行なっているか否かを判別する（ステップＡ９）。
【００４９】
ここで、同区間の乗越しを所定回数以上、すなわち同じ乗越しを多く行なっていることが乗越しデータ２２ｃに記録されている場合には、ＣＰＵ１０は、回数券購入のメッセージを表示部１８によって表示させる（ステップＡ１０）。すなわち、実際に乗越しを行なった履歴をもとにして回数券を購入した方が経済的に有効である場合には電子定期券８からメッセージが通知されるので、電子定期券８の利用者が特別に乗越しの状況を意識していなくても、回数券を購入すべきか否かを容易に判断することができる。
【００５０】
次に、電子定期券８を持った利用者が改札を入る際の電子定期券８と改札ターミナル装置４の処理動作について説明する。図７は電子定期券８の改札通過時の動作を示すフローチャート、図８は改札ターミナル装置４の動作を示すフローチャートをそれぞれ示している。
【００５１】
改札口において、改札ターミナル装置４は、通信部６２から、改札を通過する電子定期券８あるいは電子切符に対する切符要求を送信している（ステップＣ１）。なお、電子切符は、切符データとして日付、区間等のデータを保持しており、通信部を介して改札ターミナル装置４との間で通信を行なうことができるものである。ただし、本発明と直接関係しないので詳細な説明は省略する。
【００５２】
一方、電子定期券８のＣＰＵ１０は、通信部１２から改札ターミナル装置４からの切符要求を受信すると（ステップＢ１）、メモリ２２の定期券データ２２ａに継続フラグ３４がセットされているか否かを判別する（ステップＢ２）。
【００５３】
ここで、継続フラグ３４がセットされていなかった場合には、ＣＰＵ１０は、通信部１２から、定期券データ２２ａの定期券種類データ３０、区間データ３１、及び期間データ３２を改札ターミナル装置４に送信する（ステップＢ３）。
【００５４】
改札ターミナル装置４は、電子定期券８からの定期券データを通信部６２によって受信すると（ステップＣ３）、定期券種類データ３０、区間データ３１、及び期間データ３２のそれぞれが正当なデータであるか否かを判別する（ステップＣ４）。
【００５５】
全てのデータが正当なデータであった場合、ＣＰＵ１０は、電子定期券８からの購入要求が受信されなければ（継続フラグ３４がセットされていない場合）、受信した期間データ３２をもとにして、定期の期間の満了日が近いか、すなわち満了日までの日数が予め設定されている日数（例えば７日）以下となっているか否かを判別する（ステップＣ５）。
【００５６】
定期期間の満了日が近いものと判別された場合、ＣＰＵ１０は、満了日が近い旨の警告データを電子定期券８に送信する（ステップＣ７）。満了日が近くない場合には、警告データは送信しない。
【００５７】
また、ＣＰＵ６０は、受信した定期券データが正当であったので、ゲート制御部６８によって改札のゲートを開けさせて、利用者が改札を通過できるようにする（ステップＣ８）。
【００５８】
一方、電子定期券８は、改札ターミナル装置４へ送信した定期券データに対して、満了日が近い旨の警告データを受信した場合には（ステップＢ４）、表示部１８によって満了日が近付いていることを通知するメッセージを表示させるなどして警告する（ステップＢ５）。
【００５９】
こうして、定期期間の満了が近付くと、自動的に警告が通知されるので、利用者が常に定期の有効期間を意識しながら利用する必要がないので、利用者に対する負担を軽減させることができる。
【００６０】
ところで、電子定期券８に継続フラグ３４がセットされていた場合、ＣＰＵ１０は、通信部１２から、定期券データ２２ａの定期券種類データ３０、区間データ３１、及び期間データ３２を改札ターミナル装置４に送信し（ステップＢ６）、また定期券データ２２ａの継続期間データ３５と共に購入要求を改札ターミナル装置４に送信する（ステップＢ７）。
【００６１】
すなわち、電子定期券８において自動継続するものとして継続フラグ３４がセットされている場合には、一緒に継続する期間が継続期間データ３５として指定されているので、このデータを改札ターミナル装置４に送信して、定期券を継続購入することを要求する。
【００６２】
改札ターミナル装置４は、電子定期券８からの購入要求を受信すると（ステップＣ５）、定期購入処理を実行して、データベース７２に登録されているデータをもとにして、継続期間データ３５が示す期間で有効期間を延長する新しい期間データを求め、またその料金を決定する（ステップＣ１１）。
【００６３】
次に、電子定期券８と改札ターミナル装置４との間で、定期券の自動継続に伴う料金を支払うための電子決済を実行する（ステップＢ８，ステップＣ１２）。電子定期券８は、定期券データ２２ａの支払いモードデータ３６に、電子マネーによる自動支払いを行なうことが設定されている場合、改札ターミナル装置４から要求される金額の電子マネーを改札ターミナル装置４に送信する。また、電子定期券８は、口座振替による自動支払いを行なうことが設定されている場合、改札ターミナル装置４から要求される金額に対して、口座データ４１を送信して口座からの引き落しを指示する。
【００６４】
こうして、電子定期券８において予め指定しておいた支払い方法によって、自動的に支払いが行なわれるので、利用者が定期券売り場の窓口や自動定期券売機へ行く必要がなくなり負担が大幅に軽減される。
【００６５】
改札ターミナル装置４は、電子決済が正常に完了できた場合、新しい期間データ３２の内容を含む継続データを電子定期券８に送信する（ステップＣ１３）。電子定期券８は、改札ターミナル装置４からの継続データを受信すると（ステップＢ９）、新しい期間データ３２の内容に定期券データ２２ａを更新する（ステップＢ１０）。また、ＣＰＵ１０は、継続フラグ３４をオフさせる。
【００６６】
なお、電子決済が正常に完了できなかった場合、例えば自動支払いの方法として電子マネーによる支払いが設定されているが電子マネーデータ４０が示す残金が改札ターミナル装置４から要求される金額に足りない場合や、口座データ４１が示す口座番号が誤りである場合などには、電子定期券８において警告メッセージを表示させ、自動継続を行なわないようにもできる。この場合、継続フラグがセットされている状態はそのままとして、次回に自動継続が行なわれるようにしておく。
【００６７】
なお、改札ターミナル装置４において、切符要求送信（ステップＣ１）に対して、電子切符から送信された切符データを受信した場合には（ステップＣ２）、切符データが正当であるか否かを判別して（ステップＣ９）、正当であればゲート制御部６８によって改札口のゲートを開けるように制御させる（ステップＣ８）。また、切符データが正当でない場合には、改札口に設けられた表示装置等によって警告を通知するか、電子切符に表示装置等の出力装置が設けられていれば警告データを送信して電子切符において警告を通知させるようにする（ステップＣ１０）。
【００６８】
次に、電子定期券８を持った利用者が改札を出る際の電子定期券８と改札ターミナル装置４の処理動作について説明する。図９は電子定期券８の改札通過時の動作を示すフローチャート、図１０は改札ターミナル装置４の動作を示すフローチャートをそれぞれ示している。
【００６９】
改札口において、改札ターミナル装置４は、通信部６２から、改札を通過する電子定期券８あるいは電子切符に対する切符要求を送信している（ステップＥ１）。
【００７０】
一方、電子定期券８のＣＰＵ１０は、通信部１２から改札ターミナル装置４からの切符要求を受信すると（ステップＤ１）、メモリ２２の定期券データ２２ａに乗越フラグ３３がセットされているか否かを判別する（ステップＤ２）。
【００７１】
ここで、乗越フラグ３３がセットされていなかった場合には、ＣＰＵ１０は、通信部１２から、定期券データ２２ａの定期券種類データ３０、区間データ３１、及び期間データ３２を改札ターミナル装置４に送信する（ステップＤ９）。
【００７２】
改札ターミナル装置４は、電子定期券８からの定期券データのみ（精算要求を含まない）を通信部６２から受信すると（ステップＥ３）、定期券種類データ３０、区間データ３１、及び期間データ３２のそれぞれが正当なデータであるか否かを判別する（ステップＥ４）。
【００７３】
全てのデータが正当であれば、ＣＰＵ１０は、ゲート制御部６８によって改札口のゲートを開けるように制御させる（ステップＥ１０）。また、定期券データが正当でない場合には、改札口に設けられた表示装置等によって警告を通知するか、電子定期券８に警告データを送信して電子定期券８において警告メッセージを表示させるようにする（ステップＥ１１）。
【００７４】
一方、電子定期券８は、改札ターミナル装置４からの切符要求を受信した際に、乗越フラグ３３がセットされていた場合には、通信部１２から、定期券データ２２ａの定期券種類データ３０、区間データ３１、及び期間データ３２と共に、精算要求を改札ターミナル装置４に送信する（ステップＤ３）。
【００７５】
改札ターミナル装置４は、電子定期券８からの精算要求を受信すると、乗越精算処理を実行する（ステップＥ６）。すなわち、ＣＰＵ６０は、受信した定期券データ２２ａをもとに、データベース７２に登録されたデータを参照して乗越しの金額を求める。
【００７６】
改札ターミナル装置４は、乗越精算処理によって求めた乗越しの金額と乗越しの区間を示す精算データを電子定期券８に送信する（ステップＥ７）。電子定期券８は、改札ターミナル装置４からの精算データを受信すると（ステップＤ４）、精算データの乗越しの区間を示すデータを、日付のデータと対応付けて乗越しデータ２２ｃとしてメモリ２２に記憶させておく（ステップＤ５）。乗越データ２２ｃを記憶させておくことにより、電子定期券８の一般処理において回数券購入のメッセージを表示させるための処理を実行することができる。
【００７７】
次に、電子定期券８と改札ターミナル装置４との間で乗越しの料金についての精算処理（電子決済）を実行する。電子定期券８は、定期券データ２２ａの支払いモードデータ３６に、電子マネーによる自動支払いを行なうことが設定されている場合（ステップＤ６）、改札ターミナル装置４から要求される精算金額の電子マネーを改札ターミナル装置４に送信する（ステップＤ７）。また、電子定期券８は、口座振替による自動支払いを行なうことが設定されている場合（ステップＤ６）、改札ターミナル装置４から要求される金額に対して、口座データ４１を送信して口座からの引き落しを指示する（ステップＤ８）。
【００７８】
また、ＣＰＵ６０は、精算処理が正常に完了すれば（ステップＥ９）、ゲート制御部６８によって改札のゲートを開けさせて、利用者が改札を通過できるようにする（ステップＥ１０）。
【００７９】
なお、改札ターミナル装置４において、切符要求送信（ステップＥ１）に対して、電子切符から送信された切符データを受信した場合には（ステップＥ２）、切符データが正当であるか否かを判別して（ステップＥ４）、正当であればゲート制御部６８によって改札口のゲートを開けるように制御させる（ステップＥ１０）。また、切符データが正当でない場合には、改札口に設けられた表示装置等によって警告を通知するか、電子切符に表示装置等の出力装置が設けられていれば警告データを送信して電子切符において警告を通知させるようにする（ステップＥ１１）。
【００８０】
こうして、電子定期券８において乗越フラグ３３がセットされていれば、予め指定しておいた支払い方法によって、乗越しの際の精算が自動的に行なわれるので、利用者が窓口や精算機へ行って料金を支払う必要がなくなり負担が大幅に軽減される。
【００８１】
このようにして、電子定期券８に一般的な定期券としての機能の他に、過去の乗越しの履歴を元にした回数券購入のメッセージを表示させたり、予め指定しておいた料金の支払い方法で、定期の自動継続や乗越しの精算を自動的に行なうことができるので、利用者に対する負担を大幅に軽減させることができる。
【００８２】
なお、前述した実施形態では、鉄道を利用する際の定期券を例にして説明しているが、バスなどの他の交通機関で用いられる定期券に適用することもできるし、さらに各種施設において利用される有効期間や有効回数が決められた入場券に適用することができる。
【００８３】
また、前述した実施形態における改札ターミナル装置４と電子定期券８における処理は、コンピュータに実行させることができる制御プログラムとして、例えば磁気ディスク（フロッピーディスク、ハードディスク等）、光ディスク（ＣＤ−ＲＯＭ、ＤＶＤ等）、半導体メモリなどの記録媒体に書き込まれて提供され、その制御プログラムに従って制御されることで実現することができる。また、前述のような記録媒体に限らず、例えば通信媒体により伝送することで各種装置に制御プログラムを提供して実行させることも可能である。本実施形態における電子定期券システムを実現する改札ターミナル装置４及び電子定期券８は、記録媒体に記録された制御プログラムを読み込み、この制御プログラムによって動作が制御されることにより、上述した処理を実行する。
【００８４】
【発明の効果】
以上詳述したように本発明によれば、電子定期券に乗り越しの清算機能を持たせたので、利用者は乗り越しの場合でも改札を通過するだけで自動的に清算処理が行われ、利用者の負担を軽減させることができ、また、実際に乗越しを行なった履歴をもとにして回数券購入の指示が通知されるので、利用者が特別に乗越しの状況を意識していなくても、回数券を購入すべきか否かを容易に判断することができるようになる。
【図面の簡単な説明】
【図１】本発明の実施形態に係わる電子定期券システムの概略構成を示すブロック図。
【図２】本実施形態における電子定期券８の構成を示すブロック図。
【図３】本実施形態におけるメモリ２２に格納される各種データのデータ構造の一例を示す図。
【図４】本実施形態における改札ターミナル装置４の構成を示すブロック図。
【図５】電子定期券８の外観構成と表示面８０における表示内容の一例を示す図。
【図６】電子定期券８において実行される一般処理の動作を説明するためのフローチャート。
【図７】電子定期券８の改札通過時の動作を示すフローチャート。
【図８】改札ターミナル装置４の動作を示すフローチャート。
【図９】電子定期券８の改札通過時の動作を示すフローチャート。
【図１０】改札ターミナル装置４の動作を示すフローチャート
【符号の説明】
４…改札ターミナル装置
８…電子定期券
１０，６０…ＣＰＵ
１２，６２…通信部
１４，６４…記憶装置
１６…キー入力部
１８…表示部
２０…タブレット
２２，７０…メモリ
２２ａ…定期券データ
２２ｂ…電子取引データ
２２ｃ…乗越データ
６６…ネットワーク接続部
６８…ゲート制御部
７２…データベース
【図１】
0003577527.tif 000002
【図２】
0003577527.tif 000003
【図３】
0003577527.tif 000004
【図４】
0003577527.tif 000005
【図５】
0003577527.tif 000006
【図６】
0003577527.tif 000007
【図７】
0003577527.tif 000008
【図８】
0003577527.tif 000009
【図９】
0003577527.tif 000010
【図１０】
0003577527.tif 000011